(57)【特許請求の範囲】
【請求項１】
第１のデータ記録部と第２のデータ記録部とを有する記録媒体であって、上記第１のデータ記録部には、少なくとも取引を行うための取引情報と当該記録媒体に上記第２のデータ記録部が備えられていることを示す制御情報が記録されており、上記第２のデータ記録部には少なくとも上記第１のデータ記録部の取引情報と同様の内容を表わす取引情報が記録されているものを受け入れて処理することが可能な記録媒体処理部を備える取引装置において、
上記記録媒体処理部が受け入れた記録媒体に第２のデータ記録部が備えられているか否かを確認する確認手段と、
上記確認手段により、上記記録媒体処理部が受け入れた記録媒体に第２のデータ記録部が備えられていると確認され、かつ、当該記録媒体の第１のデータ記録部から制御情報の読込みができない場合、当該記録媒体の第１のデータ記録部に対して、少なくとも制御情報のデータ復元処理を行うデータ復元処理手段と
を備えることを特徴とする取引装置。
【請求項２】
上記データ復元処理手段が行うデータ復元処理には、上記記録媒体の第１のデータ記録部に対して、少なくとも制御情報を書き込む処理が含まれていることを特徴とする請求項１に記載の取引装置。
【請求項３】
上記データ復元処理手段は、第１のデータ記録部に対するデータ復元処理を行う際に、制御情報以外のデータとしてダミーデータを入力することを特徴とする請求項２に記載の取引装置。
【請求項４】
上記データ復元処理手段が、上記記録媒体処理部が受け入れた記録媒体の第１のデータ記録部に対して、データ復元処理を行った場合に、所定の手段により警報を発することを特徴とする請求項１〜３のいずれかに記載の取引装置。
【請求項５】
ユーザの操作に応じて、当該取引装置を、上記データ復元処理手段の機能を有効とする第１の動作モード、又は、上記データ復元処理手段の機能を無効とする第２の動作モードのいずれかに切り替えて動作させる動作モード切替手段をさらに備えることを特徴とする請求項１〜４のいずれかに記載の取引装置。
【請求項６】
第１のデータ記録部と第２のデータ記録部とを有する記録媒体であって、上記第１のデータ記録部には、少なくとも取引を行うための取引情報と当該記録媒体に上記第２のデータ記録部が備えられていることを示す制御情報が記録されており、上記第２のデータ記録部には少なくとも上記第１のデータ記録部の取引情報と同様の内容を表わす取引情報が記録されているものを受け入れて処理することが可能な記録媒体処理部を備える取引装置に搭載されたコンピュータを、
上記記録媒体処理部が受け入れた記録媒体に第２のデータ記録部が備えられているか否かを確認する確認手段と、
上記確認手段により、上記記録媒体処理部が受け入れた記録媒体に第２のデータ記録部が備えられていると確認され、かつ、当該記録媒体の第１のデータ記録部から制御情報の読込みができない場合、当該記録媒体の第１のデータ記録部に対して、少なくとも制御情報のデータ復元処理を行うデータ復元処理手段と
して機能させることを特徴とする制御プログラム。
【発明の詳細な説明】
【技術分野】
【０００１】
この発明は、取引装置及び制御プログラムに関し、例えば、金融機関やコンビニエンスストア等に設置されるＡＴＭ（Ａｕｔｏｍａｔｉｃ  Ｔｅｌｌｅｒ  Ｍａｃｈｉｎｅ）等に適用することができる。
【背景技術】
【０００２】
従来、ＡＴＭの取引で用いられるキャッシュカードでは、複数のデータ記録媒体を備えるものがある。例えば、従来、磁気ストライプ（以下、「ＭＳ」とも呼ぶ）に加えてＩＣチップが付けられたキャッシュカード（以下、「ＩＣキャッシュカード」と呼ぶ）がある。
【０００３】
従来のＩＣキャッシュカードでは、磁気ストライプに、当該キャッシュカードにＩＣチップが付けられているか否かを判定するための制御情報のデータ（以下、「有効性コード」とも呼ぶ）が記録されている。従来のＡＴＭで、ＩＣキャッシュカードが挿入された場合であっても、ＡＴＭは先に磁気ストライプのデータを読み取り、有効性コードから、当該キャッシュカードのＩＣチップの有無を判断する。
【０００４】
そのため、ＩＣキャッシュカードで磁気ストライプの不良（例えば、磁気消失や破損等）によりＡＴＭで読み取り不可の状態となると、ＩＣチップが正常であっても、当該ＩＣキャッシュカードを用いてＡＴＭでの取引を行うことはできなくなり、金融機関の窓口等でＩＣキャッシュカードの再発行等の手続き等が必要になる。
【０００５】
このような問題に対応する従来技術としては、特許文献１の記載技術がある。特許文献１に記載されたＡＴＭでは、取り込んだＩＣキャッシュカードで、磁気ストライプのデータが読取りできない場合、ＩＣチップの情報を上位システム（ホストコンピュータ）に送信し、上位システムから当該ＩＣキャッシュカードの磁気ストライプに記録すべきデータを受信して、受信したデータを当該ＩＣキャッシュカードの磁気ストライプ書き込み、磁気ストライプのデータを復元している。
【先行技術文献】
【特許文献】
【０００６】
【特許文献１】特開２００９−８０５４４号公報
【発明の概要】
【発明が解決しようとする課題】
【０００７】
しかしながら、特許文献１の記載技術では、ＡＴＭを上位システムと連携して動作させる必要があるため、新たに導入する場合には、ＡＴＭ側だけでなく上位システム側の改変が必要であった。
【０００８】
上述のような問題に鑑みて、複数のデータ記録部を備える記録媒体（例えば、ＩＣキャッシュカード）を受け入れて処理する際に、記録媒体のデータ復元処理を容易に行うことができる取引装置及び制御プログラムが望まれている。
【課題を解決するための手段】
【０００９】
第１の本発明は、第１のデータ記録部と第２のデータ記録部とを有する記録媒体であって、上記第１のデータ記録部には、少なくとも取引を行うための取引情報と当該記録媒体に上記第２のデータ記録部が備えられていることを示す制御情報が記録されており、上記第２のデータ記録部には少なくとも上記第１のデータ記録部の取引情報と同様の内容を表わす取引情報が記録されているものを受け入れて処理することが可能な記録媒体処理部を備える取引装置において、（１）上記記録媒体処理部が受け入れた記録媒体に第２のデータ記録部が備えられているか否かを確認する確認手段と、（２）上記確認手段により、上記記録媒体処理部が受け入れた記録媒体に第２のデータ記録部が備えられていると確認され、かつ、当該記録媒体の第１のデータ記録部から制御情報の読込みができない場合、当該記録媒体の第１のデータ記録部に対して、少なくとも制御情報のデータ復元処理を行うデータ復元処理手段とを備えることを特徴とする。
【００１０】
第２の本発明の制御プログラムは、（１）第１のデータ記録部と第２のデータ記録部とを有する記録媒体であって、上記第１のデータ記録部には、少なくとも取引を行うための取引情報と当該記録媒体に上記第２のデータ記録部が備えられていることを示す制御情報が記録されており、上記第２のデータ記録部には少なくとも上記第１のデータ記録部の取引情報と同様の内容を表わす取引情報が記録されているものを受け入れて処理することが可能な記録媒体処理部を備える取引装置に搭載されたコンピュータを、（２）上記記録媒体処理部が受け入れた記録媒体に第２のデータ記録部が備えられているか否かを確認する確認手段と、（３）上記確認手段により、上記記録媒体処理部が受け入れた記録媒体に第２のデータ記録部が備えられていると確認され、かつ、当該記録媒体の第１のデータ記録部から制御情報の読込みができない場合、当該記録媒体の第１のデータ記録部に対して、少なくとも制御情報のデータ復元処理を行うデータ復元処理手段として機能させることを特徴とする。
【発明の効果】
【００１１】
本発明によれば、複数のデータ記録部を備える記録媒体を受け入れて処理する際に、記録媒体のデータ復元処理を容易に行うことができる取引装置を提供することができる。
【図面の簡単な説明】
【００１２】
【図１】第１の実施形態のＡＴＭの動作について示したフローチャートである。
【図２】第１の実施形態のＡＴＭの機能的構成について示したブロック図である。
【図３】第１の実施形態のＡＴＭで使用されるキャッシュカードの構成例について示した説明図である。
【図４】第１の実施形態のＡＴＭでキャッシュカードを返却する際に表示する画面の内容例について示した説明図である。
【図５】第２の実施形態のＡＴＭで、キャッシュカードが挿入された場合の動作について示したフローチャートである。
【図６】第２の実施形態のＡＴＭで、有効性コード復元処理が行われる場合の動作について示したフローチャートである。
【発明を実施するための形態】
【００１３】
（Ａ）第１の実施形態
以下、本発明による取引装置及び制御プログラムの第１の実施形態を、図面を参照しながら詳述する。なお、第１の実施形態の取引装置は、ＡＴＭである。
【００１４】
（Ａ−１）第１の実施形態の構成
図２は、この実施形態のＡＴＭ１０の機能的構成を示すブロック図である。また、図２の括弧内の符号は、後述する第２の実施形態でのみ用いられる符号である。
【００１５】
ＡＴＭ１０は、例えば、金融機関の店舗やコンビニエンスストア等に設置される取引装置であり、取引処理を行うユーザ（以下、「顧客」と呼ぶ）の操作や、図示しない上位システム（ホストコンピュータ）との通信を伴う情報処理（例えば、トランザクション処理）により、当該顧客の口座に関する取引処理（例えば、振込処理や入金（預入）処理等）を行うものである。そして、ＡＴＭ１０では、顧客との取引に際して、顧客から挿入されたキャッシュカードを受け入れて、当該キャッシュカードのデータ記録部に書き込まれたデータも利用して取引処理行うことができる。
【００１６】
図３は、ＡＴＭ１０に挿入されるキャッシュカード（ＩＣキャッシュカード２０、ＩＣ無しキャッシュカード３０）の構成について示したブロック図である。
【００１７】
ＡＴＭ１０では、図３（ａ）に示す磁気ストライプ２０１及びＩＣチップ２０２ＩＣキャッシュカード２０が付けられたＩＣキャッシュカード２０、又は、図３（ｂ）に示す磁気ストライプ３０１のみが付けられている（すなわち、ＩＣチップが付けられていない）ＩＣ無しキャッシュカード３０のいずれかのキャッシュカードが顧客から挿入される場合があるものとする。ＩＣキャッシュカード２０及びＩＣ無しキャッシュカード３０については、既存のＡＴＭで用いられるものと同様のものであるので、詳しい説明は省略する。
【００１８】
ＡＴＭ１０は、制御部１０１、データ記憶部１０２、カード処理部１０３、操作表示部１０４、プリンタ１０５、通帳処理部１０６、現金処理部１０７、及び通信部１０８を有している。なお、第１の実施形態のＡＴＭ１０のハードウェア構成としては、既存のＡＴＭと同様のものを適用することが可能である。また、ＡＴＭ１０において、操作表示部１０４及びカード処理部１０３以外の顧客とのインタフェース（例えば、プリンタ１０５、通帳処理部１０６、現金処理部１０７）の構成については限定されないものであり、既存のＡＴＭの種々の構成を適用することができる。
【００１９】
制御部１０１は、ＡＴＭ１内の各部の動作を制御する機能を担っているものである。データ記憶部１０２は、制御部１０１が情報処理を行うために必要な各種情報等を格納するデータ記憶手段であり、例えば、各種メモリ等により構成することができる。
【００２０】
制御部１０１は、例えば、プロセッサ等を含むプログラムの実施構成に実施形態の制御プログラム等をインストールすることにより実現することができる。上述の制御プログラムは、例えば、データ記憶部１０２に記憶しておき、ＡＴＭ１が起動したときに、制御部１０１が読み込んで実行するようにしても良い。
【００２１】
通信部１０８は、上述の図示しない上位システム（ホストコンピュータ）等と接続するためのネットワークインタフェースである。なお、通信部１０８については、既存のＡＴＭ等と同様のものを適用することができるため、詳しい説明は省略する。
【００２２】
取引処理部１１は、顧客との取引処理を行うための情報処理や、取引処理に伴ってＡＴＭ１０内の各構成要素の制御等を行うものである。なお、取引処理部１１が行う取引処理（例えば、振込みや預入等の取引処理）の内容自体は、既存のＡＴＭ等と同様のものを適用することができるため、詳しい説明は省略する。
【００２３】
操作表示部１０４は、当該ＡＴＭ１を使用するユーザとのインタフェースの機能を担っている。操作表示部１０４で、ユーザとのインタフェースに用いるデバイスの種類は限定されないものであるが、ここでは、ディスプレイ（例えば、液晶ディスプレイ）を用いたタッチパネル画面等のデバイスが用いられるものとする。なお、操作表示部１０４としては、既存のＡＴＭ等と同様のものを適用することができるため、詳しい説明を省略する。また、この実施形態の操作表示部１０４では、タッチパネル画面を用いて、顧客からの操作の受付や、顧客への情報の表示及び顧客からの操作の受付を行うものとして説明する。
【００２４】
プリンタ１０５、取引内容を印字した明細書等を印刷して出力するものである。なお、プリンタ１０５自体は、既存のＡＴＭ等と同様のものを適用することができるため、詳しい説明は省略する。
【００２５】
通帳処理部１０６は、顧客から挿入された通帳を受け入れ、ＡＴＭ１０における当該顧客との取引内容に応じた内容を印字する等の通帳に関する処理を行う機能を担っている。なお、通帳処理部１０６としては、既存のＡＴＭ等と同様のものを適用することができるので詳しい説明を省略する。
【００２６】
現金処理部１０７は、顧客から入金された現金（紙幣及び又は硬貨）の投入を受け入れて、収納する機能と、収納した現金を顧客に出金する機能を担っている。なお、現金処理部１０７は、既存のＡＴＭ等と同様のものを適用することができる。
【００２７】
カード処理部１０３は、制御部１０１の制御に応じて、ＩＣキャッシュカード２０（又はＩＣ無しキャッシュカード３０）に付けられている磁気ストライプ２０１（又は磁気ストライプ３０１）についてデータの読み込み及び書込みが可能な構成となっているものとする。また、カード処理部１０３は、ＩＣキャッシュカード２０に付けられているＩＣチップ２０２について少なくともデータの読み込みが可能な構成となっているものとする。カード処理部１０３において、磁気ストライプやＩＣチップに対してデータ処理（読み込み、書込み）を行う構成については、既存のＡＴＭ等に備えられているカードリーダ・ライタ等と同様の構成を適用することができるため、詳しい説明については省略する。
【００２８】
この実施形態において、ＩＣキャッシュカード２０（ＩＣ無しキャッシュカード３０）に付けられている磁気ストライプ２０１（磁気ストライプ３０１）には、取引に必要な情報（少なくとも当該キャッシュカードを発行した金融機関の金融機関番号、当該キャッシュカードに係る口座番号）、及び有効性コード（当該キャッシュカードのＩＣチップの有無を示す制御情報）が記録されているものとする。
【００２９】
すなわち、ＩＣチップ２０２が付けられているＩＣキャッシュカード２０の磁気ストライプ２０１に記録されている有効性コードは、「ＩＣチップ有り」を示す内容となっている。一方、ＩＣチップが付けられていないＩＣ無しキャッシュカード３０の磁気ストライプ３０１に記録されている有効性コードは、「ＩＣチップ無し」を示す内容となっている。なお、ＩＣ無しキャッシュカード３０の磁気ストライプ３０１には、有効性コードそのものの記録をしないことにより「ＩＣチップ無し」を示すように構成しても良いが、この実施形態では、上述のように、「ＩＣチップ無し」を示す内容の有効性コードを記録しているものとする。磁気ストライプ２０１又は磁気ストライプ３０１に記録される有効性コード等の具体的なデータの記録形式及び内容としては、既存のキャッシュカードと同様のものを適用することができるので詳しい説明については省略する。
【００３０】
（Ａ−２）第１の実施形態の動作
次に、以上のような構成を有する第１の実施形態のＡＴＭ１０の動作を説明する。
【００３１】
ここでは、顧客からキャッシュカード（ＩＣキャッシュカード２０又はＩＣ無しキャッシュカード３０）が挿入された場合のＡＴＭ１０（制御部１０１）の動作について、図１を用いて説明する。
【００３２】
まず、顧客によりキャッシュカード（ＩＣキャッシュカード２０又はＩＣ無しキャッシュカード３０）がカード処理部１０３に挿入されたものとする（Ｓ１０１）。
【００３３】
なお、この実施形態のＡＴＭ１０では、顧客から最初にキャッシュカードの挿入を受付けて、その後、いずれの取引処理を行うかの選択操作を受付ける（例えば、操作表示部１０４のタッチパネルに取引選択メニューを表示して選択させる）ものとして説明する。また、ＡＴＭ１０において、キャッシュカードの挿入を受けるタイミングについては限定されないものであり、例えば、いずれの取引処理を行うかの選択操作を受付けてから、キャッシュカードの挿入を受付けるようにしても良い。
【００３４】
そして、カード処理部１０３では、制御部１０１の制御に応じて、挿入されたキャッシュカードの磁気ストライプのデータ読取りが行われる（Ｓ１０２）。
【００３５】
そして、制御部１０１では、カード処理部１０３による磁気ストライプのデータ読取結果が確認され、その確認結果に応じてその後の処理の判断が行われる（Ｓ１０３）。ステップＳ１０３で、磁気ストライプのデータ読取りに成功した場合（読取りＯＫの場合）には、制御部１０１は、後述するステップＳ１０４の処理から動作し、磁気ストライプのデータ読取りに失敗した場合（読取りＮＧの場合）には、後述するステップＳ１０７から動作する。
【００３６】
制御部１０１において、磁気ストライプのデータ読取結果が成功であるか否か（磁気ストライプが正常であるか否か）の判断方式は限定されないものである。例えば、カード処理部１０３で読取った磁気ストライプのデータについて、エラー検出処理（例えば、エラー検出や誤り訂正符号等を用いた検出）を行って、エラーが検出されない場合に、制御部１０１は、磁気ストライプのデータ読取に成功したと判定するようにしても良い。一方、エラー検出処理でエラーが検出され、正常なデータの読取りができなかったと判断できる場合や、カード処理部１０３で磁気ストライプからデータの読取り自体が実行できない場合等に、制御部１０１は、磁気ストライプのデータ読取に失敗したと判定するようにしても良い。
【００３７】
そして、上述のステップＳ１０３で、磁気ストライプのデータ読取りに成功した場合（読取りＯＫの場合）には、制御部１０１は、読取った磁気ストライプのデータに含まれる有効性コードを参照して、「ＩＣチップ有り」を示す内容であるか、「ＩＣチップ無し」を示す内容であるかを確認する（Ｓ１０４）。そして、参照した有効性コードの内容が「ＩＣチップ有り」を示す内容であると確認された場合には、制御部１０１は後述するステップＳ１０５から動作する。また、参照した有効性コードの内容が「ＩＣチップ無し」を示す内容であると確認された場合には、制御部１０１は後述するステップＳ１０６から動作する。
【００３８】
上述のステップＳ１０４で、参照した有効性コードの内容が「ＩＣチップ有り」を示すと確認された場合（すなわち、挿入されたキャッシュカードが、ＩＣキャッシュカード２０である場合）には、制御部１０１は、カード処理部１０３を介してＩＣチップ２０２のデータを読み込んで、カード処理部１０３のデータを用いた取引処理を顧客との間で開始する（Ｓ１０５）。
【００３９】
一方、上述のステップＳ１０４で、参照した有効性コードの内容が「ＩＣチップ無し」を示すと確認された場合（すなわち、挿入されたキャッシュカードが、ＩＣ無しキャッシュカード３０である場合）には、カード処理部１０３が読取った磁気ストライプ３０１のデータを用いた取引処理を顧客との間で開始する（Ｓ１０６）。
【００４０】
一方、上述のステップＳ１０３で、磁気ストライプのデータ読取りに失敗した場合（読取りＮＧの場合）には、制御部１０１は、挿入されたキャッシュカードを、仮にＩＣチップの付けられたＩＣキャッシュカード２０であるとみなし、カード処理部１０３を介してＩＣチップのデータの読み込みを試みる（Ｓ１０７）。
【００４１】
上述のステップＳ１０３で、挿入されたキャッシュカードの磁気ストライプのデータ読取りに失敗したということは、当該キャッシュカードの磁気ストライプに記録されている有効性コードも読取りができない状態であるため、制御部１０１では、有効性コードに基づいて当該キャッシュカードにＩＣチップが付けられているか否かも判断することができない。そこで、制御部１０１では、上述のように、仮に当該キャッシュカードがＩＣチップの付けられたＩＣキャッシュカード２０であるとみなして、ＩＣチップへコンタクト（カード処理部１０３を介してデータ読み込みを実行）を試みることにより、当該キャッシュカードにＩＣチップが付けられているか否かを判断するものとする。
【００４２】
そして、制御部１０１は、上述のステップＳ１０７のデータの読取り結果に応じて、挿入されたキャッシュカードにＩＣチップが付けられているか否かを判定する（Ｓ１０８）。そして、上述のステップＳ１０８で、挿入されたキャッシュカードにＩＣチップが付けられていると判定された場合には、制御部１０１は、後述するステップＳ１０９から動作し、挿入されたキャッシュカードにＩＣチップが付けられていないと判定された場合には、制御部１０１は、後述するステップＳ１１１から動作する。
【００４３】
そして、上述のステップＳ１０８で、挿入されたキャッシュカードにＩＣチップが付けられていると判定された場合（すなわち、挿入されたキャッシュカードがＩＣキャッシュカード２０だった場合）には、制御部１０１は、ＩＣキャッシュカード２０の磁気ストライプ２０１上のデータのうち、少なくとも有効性コードについて、ＡＴＭ（本発明を適用したＡＴＭに限定されない）で読み込みが可能となるように復元（書き込み）を行う（Ｓ１０９）。
【００４４】
ステップＳ１０９で、ＩＣキャッシュカード２０の磁気ストライプ２０１に対して書き込みデータの内容は、少なくとも有効性コードについて、他のＡＴＭでもデータの読み込みが可能となる内容であれば良い。例えば、制御部１０１は、磁気ストライプ２０１のデータのうち、有効性コード以外は、ダミーのデータ（例えば、口座番号等にオール０のダミーデータ等）を入力するようにしても良い。
【００４５】
そして、その後顧客が当該ＩＣキャッシュカード２０を、ＩＣチップに対応する他のＡＴＭ（本発明を適用ていないＡＴＭ）に挿入した場合には、ＩＣチップ２０２の内容に基づいて取引を行うことができるが、ＩＣチップに対応しない他のＡＴＭ（本発明を適用していないＡＴＭ）に挿入した場合には、取引を行うことができないことになる。そこで、制御部１０１で、ＩＣキャッシュカード２０の磁気ストライプ２０１の内容（有効性データ）を復元する処理に際して、操作表示部１０４のタッチパネル画面に、図４に示すような画面を表示出力して、顧客に対して、少なくとも、磁気ストライプのデータが不良となっていることを通知するために、警報を発するようにしても良い。ＡＴＭ１０では、例えば、図４に示すように、ＡＴＭ１０（制御部１０１）は、「カードの磁気ストライプが破損しております。お早めに窓口にお申し出ください。ＩＣ対応ＡＴＭでは取引が可能ですが未対応のＡＴＭでは取引ができません」というメッセージを顧客に出力することにより警報を発するようにしても良い。これにより、顧客に対して、磁気ストライプのデータが不良となっている旨と、ＩＣチップに未対応のＡＴＭでは取引ができない旨を知らせ、注意喚起することができる。これにより、顧客は、当該キャッシュカードを窓口に持参し、磁気ストライプのデータの復元や、新しいキャッシュカードの発行等のサービスを受けることが可能となる。なお、ＡＴＭ１０で、上述の警報を発する手段は限定されないものであり、例えば、上述のメッセージと同じ内容の音声メッセージを、図示しないスピーカにより出力するようにしても良い。
【００４６】
また、上述のステップＳ１０９で、有効性コード復元処理に失敗した場合には、制御部１０１は、後述するステップＳ１１１に移行するようにしても良い。例えば、ＩＣキャッシュカード２０の磁気ストライプ２０１の部分が、破損している場合（例えば、傷付いていたり、割れていたりしている場合）には、正常に磁気ストライプ２０１へのデータ書込みを行うことはできないため、上述のような処理が必要となる。
【００４７】
さらに、図１において、ＡＴＭ１０（制御部１０１）では、顧客との取引処理を完了する前のタイミング（上述のステップＳ１０９のタイミング）で、有効性コード復元処理を行っているが、有効性コード復元処理を行うタイミングについては限定されないものである。例えば、ＡＴＭ１０（制御部１０１）では、顧客との取引処理を完了した後、ＩＣキャッシュカード２０を返却する前に、有効性コード復元処理を行うようにしても良い。
【００４８】
一方、上述のステップＳ１０８で、挿入されたキャッシュカードにＩＣチップが付けられていないと判定された場合には、制御部１０１は、カード処理部１０３を制御し、挿入されたキャッシュカードを返却（排出）させて取引処理を中止する（Ｓ１１１）。この場合、カード処理部１０３に挿入されたキャッシュカードは、磁気ストライプ３０１のデータが不良となっているＩＣ無しキャッシュカード３０、又は、磁気ストライプ２０１及びＩＣチップ２０２のいずれも不良となっているＩＣキャッシュカード２０のいずれかとなる。したがって、制御部１０１では、当該キャッシュカードからは、取引に必要なデータを得る手段がないため、取引を中止せざるを得ない。なお、ステップＳ１０８の場合でも、上述のステップＳ１０７と同様に、顧客に対して、磁気ストライプのデータが不良となっている旨等を通知する画面表示等を行うようにしても良い。
【００４９】
（Ａ−３）第１の実施形態の効果
第１の実施形態によれば、以下のような効果を奏することができる。
【００５０】
（Ａ−３−１）ＡＴＭ１０では、ＩＣキャッシュカード２０であれば、磁気ストライプ２０１のデータが不良であっても、ＩＣチップ２０２のデータを読み込んで、取引を行うことができる。
【００５１】
（Ａ−３−２）ＡＴＭ１０では、ＩＣキャッシュカード２０であれば、磁気ストライプ２０１のデータが不良であっても、有効性コードを暫定的に復元することで、次回以降に、他のＡＴＭ（本発明のＡＴＭに限定されない）での取引を行うことができる。
【００５２】
（Ａ−３−３）ＡＴＭ１０では、ＩＣキャッシュカード２０の磁気ストライプ２０１に対して、暫定的に有効性データを復元する処理を行うため、特許文献１の従来技術のように、磁気ストライプのデータを復元するために、上位システム(ホストコンピュータ等)からのデータ受信を受ける必要がない。したがって、ＡＴＭ１０では、上位システムに改変を加えることなく、ＡＴＭ１０側の改変だけで、容易に有効性コード復元処理を実現することができる。
【００５３】
（Ｂ）第２の実施形態
以下、本発明による取引装置及び制御プログラムの第２の実施形態を、図面を参照しながら詳述する。なお、第１の実施形態の取引装置は、ＡＴＭである。
【００５４】
（Ｂ−１）第２の実施形態の構成
第２の実施形態のＡＴＭ１０Ａも、上述の図２を用いて示すことができる。以下では、第２の実施形態について第１の実施形態との差異を説明する。
【００５５】
第２の実施形態のＡＴＭ１０Ａでは、制御部１０１が制御部１０１Ａに置き換わっている点で、第１の実施形態と異なっている。
【００５６】
第１の実施形態の制御部１０１では、上述の図１に示すように、顧客との取引処理の過程で、ＩＣキャッシュカード２０の磁気ストライプ２０１が不良である場合には、少なくとも有効性コードについて他のＡＴＭで正常に読み込みができるような復元処理（以下、「データ復元処理モード」と呼ぶ）を行っている。これに対して、第２の実施形態では、有効性コード復元処理を、顧客との取引処理の過程では行わずに、有効性コード復元処理を実行可能な動作モードで、ＡＴＭ１０Ａ（制御部１０１Ａ）が動作する場合に実行されるものとする。
【００５７】
例えば、ＡＴＭ１０Ａが銀行の店舗に設置されている場合には、当該店舗の行員等、特定の者によってのみ、ＡＴＭ１０Ａ（制御部１０１Ａ）を、有効性コード復元処理を実行可能な動作モードで動作させるように構成することが望ましい。以下では、ＡＴＭ１０Ａ（制御部１０１Ａ）において、有効性コード復元処理が実行可能な動作モードを「行員モード」と呼ぶものとする。そして、ＡＴＭ１０Ａ（制御部１０１Ａ）が行員モードで動作する場合には、少なくとも有効性コード復元処理を実行することが可能であるものとする。ＡＴＭ１０Ａ（制御部１０１Ａ）が行員モードで動作する場合、例えば、現金処理部１０７に対する現金の取り出し処理や補充処理等、他の処理についても実行可能とするように構成しても良い。
【００５８】
ＡＴＭ１０Ａ（制御部１０１Ａ）を行員モードで動作するように遷移させるトリガについては限定されないものである。例えば、ＡＴＭ１０Ａで、図示しない施錠されたドアの内部に行員モードに遷移させるためのトリガとなるスイッチを設けて、当該スイッチにより行員モードのＯＮ／ＯＦＦを制御するようにしても良いし、所定の認証情報（パスワード等）入力をトリガとして、行員モードへの遷移を行うようにしても良い。
【００５９】
（Ｂ−２）第２の実施形態の動作
次に、以上のような構成を有する第２の実施形態のＡＴＭ１０Ａの動作を説明する。
【００６０】
まず、顧客からキャッシュカード（ＩＣキャッシュカード２０又はＩＣ無しキャッシュカード３０）が挿入された場合のＡＴＭ１０Ａ（制御部１０１Ａ）の動作について、図１を用いて説明する。
【００６１】
まず、顧客によりキャッシュカード（ＩＣキャッシュカード２０又はＩＣ無しキャッシュカード３０）がカード処理部１０３に挿入されたものとする（Ｓ２０１）。
【００６２】
そして、カード処理部１０３では、制御部１０１Ａの制御に応じて、挿入されたキャッシュカードの磁気ストライプのデータ読取りが行われる（Ｓ２０２）。
【００６３】
そして、制御部１０１Ａでは、カード処理部１０３による磁気ストライプのデータ読取結果が確認され、その確認結果に応じてその後の処理の判断が行われる（Ｓ２０３）。ステップＳ２０３で、磁気ストライプのデータ読取りに成功した場合（読取りＯＫの場合）には、制御部１０１Ａは、後述するステップＳ２０４の処理から動作し、磁気ストライプのデータ読取りに失敗した場合（読取りＮＧの場合）には、後述するステップＳ２０７から動作する。なお、制御部１０１Ａにおいて、磁気ストライプのデータ読取結果が成功であるか否かの判断方式は第１の実施形態と同様であるので詳しい説明は省略する。
【００６４】
そして、上述のステップＳ２０３で、磁気ストライプのデータ読取りに成功した場合（読取りＯＫの場合）には、制御部１０１Ａは、読取った磁気ストライプのデータに含まれる有効性コードを参照して、「ＩＣチップ有り」を示す内容であるか、「ＩＣチップ無し」を示す内容であるかを確認する（Ｓ２０４）。そして、参照した有効性コードの内容が「ＩＣチップ有り」を示す内容であると確認された場合には、制御部１０１Ａは後述するステップＳ２０５から動作する。また、参照した有効性コードの内容が「ＩＣチップ無し」を示す内容であると確認された場合には、制御部１０１Ａは後述するステップＳ２０６から動作する。
【００６５】
上述のステップＳ２０４で、参照した有効性コードの内容が「ＩＣチップ有り」を示すと確認された場合（すなわち、挿入されたキャッシュカードが、ＩＣキャッシュカード２０である場合）には、制御部１０１Ａは、カード処理部１０３を介してＩＣチップ２０２のデータを読み込んで、カード処理部１０３のデータを用いた取引処理を顧客との間で開始する（Ｓ２０５）。
【００６６】
一方、上述のステップＳ２０４で、参照した有効性コードの内容が「ＩＣチップ無し」を示すと確認された場合（すなわち、挿入されたキャッシュカードが、ＩＣ無しキャッシュカード３０である場合）には、カード処理部１０３が読取った磁気ストライプ３０１のデータを用いた取引処理を顧客との間で開始する（Ｓ２０６）。
【００６７】
そして、上述のステップＳ２０３で、磁気ストライプのデータ読取りに失敗した場合（読取りＮＧの場合）には、制御部１０１Ａは、カード処理部１０３を制御し、挿入されたキャッシュカードを返却（排出）させて取引処理を中止する（Ｓ２０７）。
【００６８】
以上の図５に示すフローチャートの動作は、従来のＡＴＭとほぼ同様であるが、ＡＴＭ１０Ａ（制御部１０１Ａ）では、ＩＣキャッシュカード２０であれば、行員モードで有効性コード復元処理を行い、当該ＩＣキャッシュカード２０の磁気ストライプ２０１の有効性コードを復元し、ＡＴＭ（本発明のＡＴＭに限定されない）で取引可能な状態にさせることができる。
【００６９】
そこで、第２の実施形態のＡＴＭ１０Ａ（制御部１０１Ａ）では、上述のステップＳ２０７のように、挿入されたキャッシュカードの磁気ストライプのデータの読み込みができない場合に、異常（キャッシュカードの磁気ストライプのデータの読み込みができないこと）を、行員等に知らせるための警報（例えば、音声やランプ表示等）を発するようにしても良い。また、操作表示部１０４のタッチパネル画面に、顧客に対するメッセージとして「キャッシュカードの磁気ストライプが破損しております。窓口にお越しいただくか、係員を呼んでください。」というメッセージを表示し、顧客に行員を呼ぶことを促すようにしても良い。
【００７０】
そして、上述のステップＳ２０７の処理の後、例えば、行員が、ＡＴＭ１０Ａの側に来て、顧客が使用しているキャッシュカードを目視し、そのキャッシュカードがＩＣチップ２０２の付けられたＩＣキャッシュカード２０であるか否かを確認する。そして、ここでは、当該キャッシュカードはＩＣチップ２０２の付けられたＩＣキャッシュカード２０であり、行員の操作により、ＡＴＭ１０Ａが行員モードに遷移したものとする。
【００７１】
図６は、例えば上述のような場合に、行員の操作により、ＡＴＭ１０Ａが行員モードに遷移し、ＡＴＭ１０Ａにより、ＩＣキャッシュカード２０に対して有効性コード復元処理が行われる場合の動作について示したフローチャートである。
【００７２】
まず、ＡＴＭ１０Ａ（制御部１０１Ａ）が、行員の操作により行員モードに遷移し（Ｓ３０１）、さらに、行員の操作により、ＡＴＭ１０Ａ（制御部１０１Ａ）で有効性コード復元処理が開始されたものとする（Ｓ３０２）。
【００７３】
ＡＴＭ１０Ａ（制御部１０１Ａ）で、行員モードで動作中に、有効性コード復元処理を開始するトリガについては限定されないものである。例えば、ＡＴＭ１０Ａ（制御部１０１Ａ）では、行員モードに遷移するとその後、いずれの処理を行うかの選択操作を受付ける（例えば、操作表示部１０４のタッチパネルに処理選択メニューを表示して選択させる）ようにしても良い。
【００７４】
そして、制御部１０１Ａは、有効性コード復元処理が開始されると、行員にキャッシュカードの挿入を促し（例えば、操作表示部１０４のタッチパネル画面に「カードを挿入してください」等のメッセージを表示する）、行員からキャッシュカードが挿入されたものとする（Ｓ３０３）。
【００７５】
そして、制御部１０１Ａは、挿入されたキャッシュカードを、仮に当該キャッシュカードがＩＣチップの付けられたＩＣキャッシュカード２０であるとみなして、ＩＣチップへコンタクト（カード処理部１０３を介してデータ読み込みを実行）を試みることにより、当該キャッシュカードにＩＣチップが付けられているか否かを判断するものとする（Ｓ３０４）。
【００７６】
そして、制御部１０１Ａは、上述のステップＳ３０４のデータの読取り結果に応じて、挿入されたキャッシュカードにＩＣチップが付けられているか否かを判定する（Ｓ３０５）。そして、上述のステップＳ３０５で、挿入されたキャッシュカードにＩＣチップからデータの読込が成功したと判定された場合には、制御部１０１Ａは、後述するステップＳ３０６から動作し、挿入されたキャッシュカードにＩＣチップからのデータ読込に失敗したと判定された場合には、制御部１０１Ａは、後述するステップＳ３０８から動作する。なお、上述のステップＳ３０３で、挿入されたキャッシュカードが、ＩＣ無しキャッシュカード３０であった場合には、当然ＩＣチップからのデータの読み込みに失敗することになるので、後述のステップＳ３０８に進むことになる。
【００７７】
そして、上述のステップＳ３０５で、挿入されたキャッシュカードのＩＣチップからのデータ読込に成功したと判定された場合（すなわち、挿入されたキャッシュカードが正常なＩＣチップ２０２を備えるＩＣキャッシュカード２０だった場合）には、制御部１０１Ａは、カード処理部１０３を制御して、ＩＣキャッシュカード２０に対して有効性コード復元処理を実行し（Ｓ３０６）、さらに当該ＩＣキャッシュカード２０を行員に返却（排出）させる（Ｓ３０７）。
【００７８】
一方、上述のステップＳ３０５で、挿入されたキャッシュカードのＩＣチップからのデータ読込に失敗したと判定された場合（すなわち、挿入されたキャッシュカードが不良なＩＣチップ２０２を備えるＩＣキャッシュカード２０だった場合、又は、ＩＣ無しキャッシュカード３０だった場合）には、制御部１０１Ａは、カード処理部１０３を制御して、当該キャッシュカードを行員に返却（排出）させる（Ｓ３０８）。
【００７９】
（Ｂ−３）第２の実施形態の効果
第２の実施形態によれば、以下のような効果を奏することができる。
【００８０】
（Ｂ−３−１）第２の実施形態のＡＴＭ１０Ａでは、第１の実施形態と同様に、ＩＣキャッシュカード２０であれば、磁気ストライプ２０１が不良であっても、有効性コードを暫定的に復元することで、次回以降に、ＡＴＭ（本発明のＡＴＭに限定されない）での取引を行うことができる。
【００８１】
（Ｂ−３−２）第２の実施形態のＡＴＭ１０Ａでは、第１の実施形態と同様に、磁気ストライプの有効性コード復元処理に際して上位システム(ホストコンピュータ等)からのデータ受信を受ける必要がなく、容易に有効性コード復元処理を実現することができる。
【００８２】
（Ｂ−３−３）第２の実施形態のＡＴＭ１０Ａでは、有効性コード復元処理を実行するには、有効性コード復元処理が実行可能な行員モードで動作させる必要がある。したがって、磁気ストライプ２０１のデータが不良となっているＩＣキャッシュカード２０を所持した顧客がＡＴＭ１０Ａでの取引を行う場合には、一旦、金融機関の店舗の係員（行員）への申し出が必要となる。しかしながら、第２の実施形態のＡＴＭ１０Ａでは、行員による対応が必ず必要となるため、有効性コード復元処理により暫定的に有効性コードを復元するのとともに、有効性コード以外の磁気ストライプも復元した正式なカードの再発行手続きにすぐに取り掛かることができるという効果を奏する。
【００８３】
（Ｃ）他の実施形態
本発明は、上記の各実施形態に限定されるものではなく、以下に例示するような変形実施形態も挙げることができる。
【００８４】
（Ｃ−１）上記の各実施形態では、本発明の取引装置を、顧客から記録媒体としてのキャッシュカードを受け入れて取引を行うＡＴＭに適用する例について説明したが、本発明の取引装置は例えば、顧客から記録媒体を受け入れて取引を行うその他の装置に適用するようにしても良い。例えば、ポイントカード、電子マネーカード等であって、複数のデータ記録部（例えば、磁気ストライプとＩＣチップ）を備える記録媒体を受け入れて、その記録媒体に記録されたデータを用いて取引を行う取引装置に適用するようにしても良い。例えば、本発明の取引装置が記録媒体としてポイントカードを受け入れて取引を行う場合には、当該ポイントカードとして、顧客番号等の取引に必要な取引に加えて有効性コードを記録した磁気ストライプと、磁気ストライプと同様の取引情報を記録したＩＣチップが備えられているものを適用することができる。
【００８５】
（Ｃ−２）上記の各実施形態では、記録媒体としてのキャッシュカードには、第１のデータ記録部として磁気ストライプが適用されており、第２のデータ記録部としてＩＣチップが適用されている例について説明したが、本発明の取引装置で処理する記録媒体に備えるデータ記録部のデータ記録部の種類や組合せは上述のものに限定されないものである。
【００８６】
（Ｃ−３）上記の各実施形態において、ＩＣキャッシュカードに付けられているＩＣチップが１つの例について説明したが、物理的に複数のＩＣチップに分かれていても良い。
【符号の説明】
【００８７】
１０…ＡＴＭ（取引装置）、１０１…制御部、１０２…データ記憶部、１０３…カード処理部、１０４…操作表示部、１０５…プリンタ、１０６…通帳処理部、１０７…現金処理部、１０８…通信部。
【図１】
0005712867.tif 000002
【図２】
0005712867.tif 000003
【図３】
0005712867.tif 000004
【図４】
0005712867.tif 000005
【図５】
0005712867.tif 000006
【図６】
0005712867.tif 000007